(57)【要約】【課題】集電体や電極端子による外装部材の損傷を防止することが可能な薄型電池を提供する。【解決手段】薄型電池１０は、正極板１０１、負極板１０３及びセパレータ１０２ａ〜１０２ｃを有する発電要素１０８が、外装部材１０６、１０７に収容されて封止され、当該発電要素１０８の正極板１０１から伸びている正極側集電体１０１ａ、及び、負極板１０３から伸びている負極側集電体１０３ａにそれぞれ接続された正極端子１０４及び負極端子１０５が、外装部材１０６、１０７の外周縁から導出しており、セパレータ１０２ａ〜１０２ｃのうちの最外側に位置するセパレータ１０２ａ、１０２ｃは、正極端子１０４及び負極端子１０５まで延長されている。【選択図】図２
2005123065.tif 000002
【特許請求の範囲】
【請求項１】
電極板及びセパレータを有する発電要素が、外装部材に収容されて封止され、前記発電要素の電極板から伸びている集電体に接続された電極端子が、前記外装部材の外周縁から導出している電池であって、
前記セパレータのうちの最外側に位置するセパレータは、前記電極端子まで延長されている電池。
【請求項２】
前記発電要素は、前記セパレータを介して正極板と負極板とが交互に積層され、さらに最外側にセパレータが積層されており、
前記発電要素の最外側に積層されたセパレータは、前記正極板から伸びている正極側集電体に接続された正極端子、及び、前記負極板から伸びている負極側集電体に接続された負極端子まで延長されている請求項１記載の電池。
【請求項３】
前記発電要素は、前記セパレータを介して正極板と負極板とが交互に積層されており、
前記セパレータのうちの最外側に位置するセパレータは、前記正極板から伸びている正極側集電体に接続された正極端子、及び、前記負極板から伸びている負極側集電体に接続された負極端子まで延長されており、
前記セパレータのうちの最外側に位置するセパレータの延長された部分にスリットが形成されている請求項１記載の電池。
【請求項４】
前記セパレータの延長された部分は、前記集電体及び前記電極端子の何れの幅より広い幅を有する請求項１〜３の何れかに記載の電池。
【発明の詳細な説明】
【技術分野】
【０００１】
本発明は、電極板及びセパレータを有する発電要素が外装部材に収容されて封止され、発電要素の電極板から伸びている集電体に接続された電極端子が外装部材の外周縁から導出している電池に関する。
【背景技術】
【０００２】
従来から、セパレータを介して正極板と負極板とを交互に積層し、さらに最外側にセパレータを積層した発電要素を、ラミネートフィルム（外装部材）で覆った電池が知られている（例えば、特許文献１参照）。
【０００３】
しかしながら、このような構成の電池は、正極板及び負極板から伸びている箔状の正極側集電体及び負極側集電体や、ラミネートフィルムにより形成される空間に突出している正極端子及び負極端子の一部の縁部が、ラミネートフィルムに直接接触して、当該ラミネートフィルムを損傷させる問題があった。
【特許文献１】特開２００２−３４３４３９号公報
【発明の開示】
【０００４】
本発明は、集電体や電極端子による外装部材の損傷を防止することが可能な電池を提供することを目的とする。
上記目的を達成するために、本発明によれば、電極板及びセパレータを有する発電要素が、外装部材に収容されて封止され、前記発電要素の電極板から伸びている集電体に接続された電極端子が、前記外装部材の外周縁から導出している電池であって、前記セパレータのうちの最外側に位置するセパレータは、前記電極端子まで延長されている電池が提供される。
【０００５】
本発明では、電池においてセパレータのうちの最外側に位置するセパレータを、電極端子まで延長させる。これにより、当該最外側に位置するセパレータが、電極板から伸びている集電体と、封止手段により形成された空間に向かって突出している電極端子の一部とを覆うので、集電体や電極端子による外装部材の損傷を防止することが可能となる。
【発明を実施するための最良の形態】
【０００６】
以下、本発明の実施形態を図面に基づいて説明する。
【０００７】
［第１実施形態］
図１は本発明の第１実施形態に係る薄型電池の全体の平面図、図２は図１のＢ−Ｂ線に沿った断面図である。
【０００８】
図１及び図２は一つの薄型電池１０（単位電池）を示し、この薄型電池１０を複数積層することにより所望の電圧、容量の組電池が構成される。
【０００９】
本発明の第１実施形態に係る薄型電池１０は、リチウム系の積層型の薄型電池であり、３枚の正極板１０１と、７枚のセパレータ１０２ａ〜１０２ｃと、３枚の負極板１０３と、正極端子１０４と、負極端子１０５と、上部外装部材１０６と、下部外装部材１０７と、特に図示しない電解質とから構成されている。このうちの正極板１０１、セパレータ１０２ａ〜１０２ｃ、負極板１０３及び電解質を特に発電要素１０８と称する。
【００１０】
発電要素１０８を構成する正極板１０１は、正極端子１０４まで伸びている正極側集電体１０１ａと、正極側集電体１０１ａの一部の両主面にそれぞれ形成された正極層１０１ｂ、１０１ｃとを有している。なお、正極板１０１の正極層１０１ｂ、１０１ｃは、正極側集電体１０１ａの全体の両主面に亘って形成されているのではなく、図２に示すように、正極板１０１、セパレータ１０２ａ〜１０２ｃ及び負極板１０３を積層して発電要素１０８を構成する際に、正極板１０１においてセパレータ１０２ａ、１０２ｂに実質的に重なる部分のみに正極層１０１ｂ、１０１ｃが形成されている。
【００１１】
この正極板１０１の正極側集電体１０１ａは、例えば、アルミニウム箔、アルミニウム合金箔、銅箔、又は、ニッケル箔等の電気化学的に安定した金属箔である。
【００１２】
また、この正極板１０１の正極層１０１ｂ、１０１ｃは、例えば、リチウムマンガン複合酸化物やリチウムニッケル複合酸化物等の正極活物質と、カーボンブラック等の導電剤と、ポリ四フッ化エチレンの水性ディスパージョン等の接着剤とを混合したものを、正極側集電体１０１ａの一部の両主面に塗布し、乾燥及び圧延することにより形成されている。なお、本発明においてリチウムマンガン複合酸化物及びリチウムニッケル複合酸化物の組成は、特に限定されず、定比化合物であってもよく、不定比化合物であっても良い。
【００１３】
発電要素１０８を構成する負極板１０３は、負極端子１０５まで伸びている負極側集電体１０３ａと、当該負極側集電体１０３ａの一部の両主面にそれぞれ形成された負極層１０３ｂ、１０３ｃとを有している。なお、負極板１０３の負極層１０３ｂ、１０３ｃは、負極側集電体１０３ａの全体の両主面に亘って形成されているのではなく、図２に示すように、正極板１０１、セパレータ１０２ａ〜１０２ｃ及び負極板１０３を積層して発電要素１０８を構成する際に、負極板１０３においてセパレータ１０２ｂ、１０２ｃに実質的に重なる部分のみに負極層１０３ｂ、１０３ｃが形成されている。
【００１４】
この負極板１０３の負極側集電体１０３ａは、例えば、ニッケル箔、銅箔、ステンレス箔、又は、鉄箔等の電気化学的に安定した金属箔である。
【００１５】
また、この負極板１０３の負極層１０３ｂ、１０３ｃは、例えば、非晶質炭素、難黒鉛化炭素、易黒鉛化炭素、又は、黒鉛等のような上記の正極活物質のリチウムイオンを吸蔵及び放出する負極活物質に、有機物焼成体の前駆体材料としてのスチレンブタジエンゴム樹脂粉末の水性ディスパージョンを混合し、乾燥させた後に粉砕することで、炭素粒子表面に炭化したスチレンブタジエンゴムを担持させたものを主材料とし、これにアクリル樹脂エマルジョン等の結着剤をさらに混合し、この混合物を負極側集電体１０３ａの一部の両主面に塗布し、乾燥及び圧延させることにより形成されている。
【００１６】
特に、負極活物質として非晶質炭素や難黒鉛化炭素を用いると、充放電時における電位の平坦特性に乏しく放電量に伴って出力電圧も低下するので、通信機器や事務機器の電源には不向きであるが、電気自動車の電源として用いると急激な出力低下がないので有利である。
【００１７】
発電要素１０８のセパレータ１０２ａ〜１０２ｃは、上述した正極板１０１と負極板１０３との短絡を防止するもので、電解質を保持する機能を備えても良い。このセパレータ１０２ａ〜１０２ｃは、例えば、ポリエチレン（ＰＥ）やポリプロピレン（ＰＰ）等のポリオレフィン等から構成される微多孔性膜であり、過電流が流れると、その発熱によって層の空孔が閉塞され電流を遮断する機能をも有する。
【００１８】
さらに、本実施形態に係る薄型電池１０では、図２に示すように、発電要素１０８の最上層に積層されたセパレータ１０２ａが、当該発電要素１０８の中間に積層されたセパレータ１０２ｂより長く形成されており、その一方の端部が正極端子１０４の上面まで延長されていると共に、その他方の端部が負極端子１０５の上面まで延長されている。また、この最上層のセパレータ１０２ａは、正極側集電体１０１ａ、負極側集電体１０３ａ、正極端子１０４及び負極端子１０５の何れの幅より広い幅を有している。
【００１９】
そして、このセパレータ１０２ａが、正極端子１０４側において、正極板１０１から正極端子１０４に伸びている正極側集電体１０１ａと、外装部材１０６、１０７により形成された空間に向かって突出している正極端子１０４の一部とを覆うと共に、負極端子１０５側において、負極板１０３から負極端子１０５に伸びている負極側集電体１０３ａと、外装部材１０６、１０７により形成された空間に向かって突出している負極端子１０５の一部とを覆っている。
【００２０】
同様に、本実施形態に係る薄型電池１０では、同図に示すように、発電要素１０８の最下層に積層されたセパレータ１０２ｃが、当該発電要素１０８の中間に積層されたセパレータ１０２ｂより長く形成されており、その一方の端部が正極端子１０４の下面まで延長されていると共に、その他方の端部が負極端子１０５の下面まで延長されている。また、この最下層のセパレータ１０２ｃは、正極側集電体１０１ａ、負極側集電体１０３ａ、正極端子１０４及び負極端子１０５の何れの幅より広い幅を有している。
【００２１】
そして、このセパレータ１０２ｃが、正極端子１０４側において、正極板１０１から正極端子１０４に伸びている正極側集電体１０１ａと、外装部材１０６、１０７により形成された空間に向かって突出している正極端子１０４の一部とを覆うと共に、負極端子１０５側において、負極板１０３から負極端子１０５に伸びている負極側集電体１０３ａと、外装部材１０６、１０７により形成された空間に向かって突出している負極端子１０５の一部とを覆っている。
【００２２】
本実施形態に係る薄型電池１０では、以上のような最上層及び最下層の延長されたセパレータ１０２ａ、１０２ｃで、正極板１０１の正極側集電体１０１ａ及び負極板１０３の負極側集電体１０３ａと、外装部材１０６、１０７により形成された空間に向かってそれぞれ突出している正極端子１０４及び負極端子１０５の一部とを覆うことにより、集電体１０１ａ、１０３ａ及び電極端子１０４、１０５と、外装部材１０６、１０７との間に、セパレータ１０２ａ、１０２ｃが介在することとなるので、集電体１０１ａ、１０３ａや電極端子１０４、１０５の縁部が外装部材１０６、１０７に直接接触することがなくなり、電極板１０１、１０３の集電体１０１ａ、１０３ａや電極端子１０４、１０５による外装部材１０６、１０７の損傷を防止することが可能となる。
【００２３】
なお、本発明のセパレータ１０２ａ〜１０２ｃは、ポリオレフィン等の単層膜にのみ限られず、ポリプロピレン膜をポリエチレン膜でサンドイッチした三層構造や、ポリオレフィン微多孔膜と有機不織布等を積層したものも用いることが出来る。セパレータ１０２ａ〜１０２ｃを複層化することで、過電流の防止機能、電解質保持機能及びセパレータの形状維持（剛性向上）機能等の諸機能を付与することが出来る。
【００２４】
以上の発電要素１０８は、上から正極板１０１と負極板１０３とが交互に、且つ、当該正極板１０１と負極板１０３との間にセパレータ１０２ｂが位置するような順序で積層され、さらに、その最上層及び最下層にセパレータ１０２ａ、１０２ｃがそれぞれ積層されている。そして、３枚の正極板１０１は、正極側集電体１０１ａを介して、金属箔製の正極端子１０４にそれぞれ接続される一方で、３枚の負極板１０３は、負極側集電体１０３ａを介して、同じく金属箔製の負極端子１０５にそれぞれ接続されている。
【００２５】
なお、発電要素１０８の正極板１０１、セパレータ１０２ａ〜１０２ｃ、及び、負極板１０３は、本発明では上記の枚数に何ら限定されず、例えば、１枚の正極板１０１、３枚のセパレータ１０２ａ〜１０２ｃ、及び、１枚の負極板１０３でも発電要素１０８を構成することが出来、必要に応じて正極板、セパレータ及び負極板の枚数を選択して構成することが出来る。
【００２６】
正極端子１０４も負極端子１０５も電気化学的に安定した金属材料であれば特に限定されないが、正極端子１０４としては、上述の正極側集電体１０１ａと同様に、例えば、アルミニウム箔、アルミニウム合金箔、銅箔、又は、ニッケル箔等を挙げることが出来る。また、負極端子１０５としては、上述の負極側集電体１０３ａと同様に、例えば、ニッケル箔、銅箔、ステンレス箔、又は、鉄箔等を挙げることが出来る。また、本実施形態では、電極板１０１、１０３の集電体１０１ａ、１０３ａを構成する金属箔自体を電極端子１０４、１０５まで延長することにより、電極板１０１、１０３を電極端子１０４、１０５に直接接続しているが、電極板１０１、１０３の集電体１０１ａ，１０３ａと、電極端子１０４、１０５とを、集電体１０１ａ、１０３ａを構成する金属箔とは別の材料や部品により接続しても良い。
【００２７】
発電要素１０８は、上部外装部材１０６及び下部外装部材１０７（外装部材）に収容されて封止されている。本実施形態における上部外装部材１０６及び下部外装部材１０７は何れも、特に図示しないが、薄型電池１０の内側から外側に向かって、例えば、ポリエチレン、変性ポリエチレン、ポリプロピレン、変性ポリプロピレン、又は、アイオノマー等の耐電解液性及び熱融着性に優れた樹脂フィルムから構成されている内側層と、例えば、アルミニウム等の金属箔から構成されている中間層と、例えば、ポリアミド系樹脂又はポリエステル系樹脂等の電気絶縁性に優れた樹脂フィルムで構成されている外側層と、の三層構造となっている。従って、上部外装部材１０６及び下部外装部材１０７は何れも、例えば、アルミニウム箔等の金属箔の一方の面（薄型電池１０の内側面）をポリエチレン、変性ポリエチレン、ポリプロピレン、変性ポリプロピレン、又は、アイオノマー等の樹脂でラミネートし、他方の面（薄型電池１０の外側面）をポリアミド系樹脂又はポリエステル系樹脂でラミネートした、樹脂−金属薄膜ラミネート剤等の可撓性を有する材料で形成されている。
【００２８】
このように、外装部材が樹脂層に加えて金属層を具備することにより、外装部材自体の強度向上を図ることが可能となる。また、外装部材の内側層を、例えば、ポリエチレン、変性ポリエチレン、ポリプロピレン、変性ポリプロピレン、又は、アイオノマー等の樹脂で構成することにより、金属製の電極端子との良好な融着性を確保することが可能となる。
【００２９】
なお、図１及び図２に示すように、封止された外装部材１０６、１０７の一方の端部から正極端子１０４が導出し、当該他方の端部から負極端子１０５が導出するが、電極端子１０４、１０５の厚さ分だけ上部外装部材１０６と下部外装部材１０７との融着部に隙間が生じるので、薄型電池１０内部の封止性を維持するために、電極端子１０４、１０５と外装部材１０６、１０７とが接触する部分に、例えば、ポリエチレンやポリプロピレン等から構成されたシールフィルムを介在させても良い。このシールフィルムは、正極端子１０４及び負極端子１０５の何れにおいても、外装部材１０６、１０７を構成する樹脂と同系統の樹脂で構成することが熱融着性の観点から好ましい。
【００３０】
これらの外装部材１０６、１０７によって、上述した発電要素１０８、正極端子１０４の一部及び負極端子１０５の一部を包み込み、当該外装部材１０６、１０７により形成される空間に、有機液体溶媒に過塩素酸リチウム、ホウフッ化リチウム等のリチウム塩を溶質とした液体電解質を注入しながら、外装部材１０６、１０７により形成される空間を吸引して真空状態とした後に、外装部材１０６、１０７の外周縁を熱プレスにより熱融着して封止する。
【００３１】
有機液体溶媒として、プロピレンカーボネート（ＰＣ）、エチレンカーボネート（ＥＣ）、ジメチルカーボネート（ＤＭＣ）等のエステル系溶媒を挙げることができるが、本発明の有機液体溶媒はこれに限定されることなく、エステル系溶媒に、γ−ブチラクトン（γ−ＢＬ）、ジエトシキエタン（ＤＥＥ）等のエーテル系溶媒その他を混合、調合した有機液体溶媒を用いることも出来る。
【００３２】
以上のように、本発明の第１実施形態に係る薄型電池では、セパレータのうちの最外側に積層されたセパレータを電極端子まで延長させる。これにより、この延長されたセパレータが集電体及び電極端子の一部を覆い、当該セパレータが集電体及び電極端子と外装部材との間に介在することとなるので、集電体や電極端子の縁部が外装部材に直接接触することがなくなり、集電体や電極端子の縁部による外装部材の損傷を防止することが可能となる。
【００３３】
また、集電体や電極端子の縁部による外装部材の損傷を防止する方法として、当該集電体や電極端子に保護フィルムを貼る方法が考えられるが、本実施形態に係る薄型電池では最外側に位置するセパレータを延長するだけでその効果を奏することが出来るので、保護フィルムを貼る方法と比較して、薄型電池の製造が容易であり、生産性に優れている。
【００３４】
さらに、セパレータの延長部分を、集電体及び電極端子の何れの幅より広い幅とすることにより、集電体や電極端子の縁部による外装部材の損傷を適切に保護することが可能となる。
【００３５】
［第２実施形態］
図３は本発明の第２実施形態に係る薄型電池の図１のＢ−Ｂ線に沿った断面図、図４は本発明の第２実施形態に係る薄型電池のセパレータの平面図である。
【００３６】
本発明の第２実施形態に係る薄型電池１０’は、図３及び図４に示すように、発電要素１０８’の最上層及び最下層にセパレータが積層されていない点、及び、延長されたセパレータ１０２ａ’、１０２ｃ’の形状が異なる点以外は、第１実施形態に係る薄型電池１０と同様の構成であるので、以下に、その相違する点についてのみ説明する。なお、同一の構成については第１実施形態と同一の符号を用いて説明する。
【００３７】
本実施形態におけるセパレータ１０２ａ’〜１０２ｃ’のうちの最外側に位置するセパレータ１０２ａ’、１０２ｃ’は、第１実施形態におけるセパレータ１０２ａ、１０２ｃと同様に、例えば、ポリエチレン（ＰＥ）やポリプロピレン（ＰＥ）等のポリオレフィン等から構成される微多孔性膜であり、当該セパレータ１０２ａ’、１０２ｃ’の間に積層された中間のセパレータ１０２ｂより長く形成されており、それらの一方の端部が正極端子１０４の上面及び下面までそれぞれ延長されていると共に、それらの他方の端部が負極端子１０５の上面及び下面までそれぞれ延長されている。また、このセパレータ１０２ａ’、１０２ｃ’は、正極側集電体１０１ａ、負極側集電体１０３ａ、正極端子１０４及び負極端子１０５の何れの幅より広い幅をそれぞれ有している。
【００３８】
さらに、本実施形態におけるこのセパレータ１０２ａ’、１０２ｃ’には、第１実施形態と異なり、図４に示すように、スリット１０９が形成されている。
【００３９】
より具体的には、セパレータ１０２ａ’〜１０２ｃ’のうちの最上層に位置するセパレータ１０２ａ’には、図４に示すように、正極端子１０４側に偏心した位置で、且つ、当該セパレータ１０２ａ’の長手方向に対して実質的に直行する方向に沿って、上面から下面に貫通したスリット１０９が形成されている。
【００４０】
セパレータ１０２ａ’〜１０２ｃ’のうちの最下層に位置するセパレータ１０２ｃ’についても同様に、特に図示しないが、負極端子１０５側に偏心した位置で、且つ、当該セパレータ１０２ｃ’の長手方向に対して実質的に直行する方向に沿って、上面から下面に貫通したスリット１０９が形成されている。
【００４１】
本実施形態に係る薄型電池１０’の発電要素１０８’は、図３に示すように、第１実施形態に係る薄型電池１０と同様に、上から正極板１０１と負極板１０３とが交互に、且つ、延長されたセパレータ１０２ａ’、１０２ｃ’がセパレータ１０２ａ’〜１０２ｃ’のうちの最上層及び最下層に位置するように、正極板１０１と負極板１０３との間にセパレータ１０２ａ’〜１０２ｃ’がそれぞれ積層されているが、本実施形態に係る薄型電池１０’の発電要素１０８’の最上層及び最下層にはセパレータが積層されていない。従って、本実施形態における発電要素１０８’は、３枚の正極板１０１、５枚のセパレータ１０２ａ’〜１０２ｃ’、及び、３枚の負極板１０３から構成されており、発電要素１０８の最上層には、正極板１０１が積層されており、その最下層には負極板１０３が積層されている。
【００４２】
そして、第１実施形態と同様に、３枚の正極板１０１が、正極側集電体１０１ａを介して、金属箔製の正極端子１０４にそれぞれ接続されているが、本実施形態に係る薄型電池１０’では、発電要素１０８の最上層に積層された正極板１０４の正極側集電体１０１ａが、セパレータ１０２ａ’に形成されたスリット１０９に当該セパレータ１０２ａ’の上面から下面に貫通して正極端子１０４に接続されている。
【００４３】
同様に、３枚の負極板１０３は、負極側集電体１０３ａを介して、金属箔製の負極端子１０５にそれぞれ接続されているが、本実施形態に係る薄型電池１０’では、発電要素１０８の最下層に積層された負極板１０３の負極側集電体１０３ａが、セパレータ１０２ｃ’に形成されたスリット１０９に当該セパレータ１０２ｃ’の下面から上面に貫通して負極端子１０５に接続されている。
【００４４】
本実施形態に係る薄型電池１０’では、以上のような延長されたセパレータ１０２ａ’、１０２ｃ’で、正極板１０１の正極側集電体１０１ａ及び負極板１０３の負極側集電体１０３ａと、外装部材１０６、１０７により形成された空間に向かってそれぞれ突出している正極端子１０４及び負極端子１０５の一部とを覆うことにより、集電体１０１ａ、１０３ａ及び電極端子１０４、１０５と、外装部材１０６、１０７との間に、セパレータ１０２ａ’、１０２ｃ’が介在することとなるので、集電体１０１ａ、１０３ａや電極端子１０４、１０５の縁部が外装部材１０６、１０７に直接接触することがなくなり、電極板１０１、１０３の集電体１０１ａ、１０３ａや電極端子１０４、１０５による外装部材１０６、１０７の損傷を防止することが可能となる。
【００４５】
以上のように、本発明の第２実施形態に係る薄型電池では、セパレータのうちの最外側に積層されたセパレータを電極端子まで延長させる。これにより、この延長されたセパレータが、集電体及び電極端子の一部を覆い、当該セパレータが集電体及び電極端子と外装部材との間に介在することとなるので、集電体や電極端子の縁部が外装部材に直接接触することがなくなり、集電体や電極端子の縁部による外装部材の損傷を防止することが可能となる。
【００４６】
また、集電体や電極端子の縁部による外装部材の損傷を防止する方法として、当該集電体や電極端子に保護フィルムを貼る方法が考えられるが、本実施形態に係る薄型電池では最外側に位置するセパレータを延長するだけでその効果を得ることが出来るので、保護フィルムを貼る方法と比較して、薄型電池の製造が容易であり、生産性に優れている。
【００４７】
さらに、本実施形態では、発電要素の最上層及び最下層にセパレータを積層しない薄型電池において、セパレータの内で最外側に位置するセパレータにスリットを形成し、発電要素の最上層及び最下層の電極板の集電体を貫通させることにより、集電体や電極端子の縁部による外装部材の損傷を防止すると共に、発電要素の最上層及び最下層にセパレータを積層する必要がないので、第１実施形態に係る薄型電池と比較して、セパレータの使用量を低減することが可能となる。
【００４８】
さらに、セパレータの延長部分を、集電体及び電極端子の何れの幅より広い幅とすることにより、集電体や電極端子の縁部による外装部材の損傷を適切に保護することが可能となる。
【００４９】
なお、以上説明した実施形態は、本発明の理解を容易にするために記載されたものであ
って、本発明を限定するために記載されたものではない。したがって、上記の実施形態に
開示された各要素は、本発明の技術的範囲に属する全ての設計変更や均等物をも含む趣旨
である。
【図面の簡単な説明】
【００５０】
【図１】図１は、本発明の第１実施形態に係る薄型電池の全体の平面図である。
【図２】図２は、図１のＢ−Ｂ線に沿った断面図である。
【図３】図３は、本発明の第２実施形態に係る薄型電池の図１のＢ−Ｂ線に沿った断面図である。
【図４】図４は、本発明の第２実施形態に係る薄型電池のセパレータの平面図である。
【符号の説明】
【００５１】
１０…薄型電池
１０１…正極板
１０１ａ…正極側集電体
１０１ｂ、１０１ｃ…正極層
１０２ａ〜１０２ｃ…セパレータ
１０３…負極板
１０３ａ…負極側集電体
１０３ｂ、１０３ｃ…負極層
１０４…正極端子
１０５…負極端子
１０６…上部外装部材
１０７…下部外装部材
１０８…発電要素
１０９…スリット
【図１】
2005123065.tif 000003
【図２】
2005123065.tif 000004
【図３】
2005123065.tif 000005
【図４】
2005123065.tif 000006